(57)【要約】  近隣基地局間でＣＲＳが互いに干渉することを回避し、下りスループット改善及びＵＥのセル誤選択を防止することができるサーバ装置、基地局装置及び識別番号決定方法。ＯＡＭ（１００）の位置情報受信部（１０１）が新規ｅＮＢの位置情報を受信すると、リソースインデックス決定部（１０４）は、新規ｅＮＢの近隣ｅＮＢで使用しているリソースインデックスｖｓｈｉｆｔ以外のリソースインデックスｖｓｈｉｆｔを選択する。セルＩＤ算出部（１０５）は、選択されたリソースインデックスｖｓｈｉｆｔからセルＩＤを算出し、算出されたセルＩＤがセルＩＤ送信部（１０６）から新規ｅＮＢに送信される。
2013099247.tif 000002
【特許請求の範囲】
【請求項１】
基地局の識別番号を管理するサーバ装置であって、
新たに設けられた新規基地局に対する近隣基地局の識別番号に基づいて、前記近隣基地局が送信する参照信号の周波数配置と異なる参照信号の周波数配置を決定する決定手段と、
決定された前記周波数配置に基づいて、前記新規基地局の識別番号を算出する識別番号算出手段と、
算出された前記識別番号を前記新規基地局に送信する送信手段と、
を具備するサーバ装置。
【請求項２】
前記新規基地局から当該新規基地局の設置位置を示す位置情報を受信する受信手段を具備し、
前記決定手段は、前記新規基地局の位置情報及び前記近隣基地局の位置情報に基づいて、前記新規基地局と前記近隣基地局との距離を算出し、前記距離が所定の閾値以下となる近隣基地局が送信する参照信号の周波数配置と異なる参照信号の周波数配置を決定する、
請求項１に記載のサーバ装置。
【請求項３】
前記決定手段は、前記新規基地局から最も離れて位置する前記近隣基地局が送信する参照信号の周波数配置を決定し、
前記識別番号算出手段は、決定された前記周波数配置に基づいて、前記新規基地局から最も離れて位置する前記近隣基地局の識別番号とは異なる識別番号を算出する、
請求項２に記載のサーバ装置。
【請求項４】
前記決定手段は、前記近隣基地局の最大空間多重数に応じた参照信号の周波数配置と異なる参照信号の周波数配置を前記新規基地局に設定する、
請求項１に記載のサーバ装置。
【請求項５】
近隣基地局から当該近隣基地局の識別番号を受信する受信手段と、
前記近隣基地局の識別番号に基づいて、前記近隣基地局が送信する参照信号の周波数配置と異なる参照信号の周波数配置を決定する決定手段と、
決定された前記周波数配置に基づいて、自局の識別番号を算出する識別番号算出手段と、
を具備する基地局装置。
【請求項６】
前記受信手段は、前記近隣基地局から送信された信号の受信レベルを測定し、
前記決定手段は、測定された前記受信レベルが所定の閾値以上となる前記近隣基地局が送信する参照信号の周波数配置と異なる参照信号の周波数配置を決定する、
請求項５に記載の基地局装置。
【請求項７】
前記決定手段は、測定された前記受信レベルが最も低い前記近隣基地局が送信する参照信号の周波数配置を決定し、
前記識別番号算出手段は、決定された前記周波数配置に基づいて、前記受信レベルが最も低い前記近隣基地局の識別番号とは異なる自局の識別番号を算出する、
請求項６に記載の基地局装置。
【請求項８】
前記決定手段は、前記近隣基地局の最大空間多重数に応じた参照信号の周波数配置と異なる参照信号の周波数配置を自局のアンテナポート毎に決定する、
請求項５に記載の基地局装置。
【請求項９】
基地局の識別番号を管理するサーバ装置における識別番号決定方法であって、
新たに設けられた新規基地局に対する近隣基地局の識別番号に基づいて、前記近隣基地局が送信する参照信号の周波数配置と異なる参照信号の周波数配置を決定する決定工程と、
決定された前記周波数配置に基づいて、前記新規基地局の識別番号を算出する識別番号算出工程と、
算出された前記識別番号を前記新規基地局に送信する送信工程と、
を具備する識別番号決定方法。
【請求項１０】
新たに設けられた新規基地局を識別する識別番号を決定する当該新規基地局における識別番号決定方法であって、
近隣基地局から当該近隣基地局の識別番号を受信する受信工程と、
前記近隣基地局の識別番号に基づいて、前記近隣基地局が送信する参照信号の周波数配置と異なる参照信号の周波数配置を決定する決定工程と、
決定された前記周波数配置に基づいて、前記新規基地局の識別番号を算出する識別番号算出工程と、
を具備する識別番号決定方法。
【発明の詳細な説明】
【技術分野】
【０００１】
本発明は、近隣基地局装置の参照信号の周波数配置を考慮して、新設された基地局装置の識別番号を自動的に最適化するサーバ装置、基地局装置及び識別番号決定方法に関する。
【背景技術】
【０００２】
現在、次世代の移動体通信規格であるＬＴＥ（Long Term Evolution）の導入が世界的に始まっている。ＬＴＥでは、下り回線にＯＦＤＭ（Orthogonal Frequency Division Multiplexing）及びＭＩＭＯ（Multiple-Input Multiple-Output）技術等を、上り回線にＳＣ−ＦＤＭＡ（Single Carrier-Frequency Division Multiple Access）等を採用することにより、飛躍的なスループット向上が達成された上、各物理チャネルを時間−周波数領域の無線リソースに柔軟に割り当てることが可能となっている。【０００３】
さらに、近年、基地局の設置及び運用を簡素化するため、ＳＯＮ（Self Organizing Network）の検討が進められている。ＳＯＮを適用することにより、通信事業者が事前に現地調査や置局設計を行うことなく、各基地局のパラメータ（例えばセルＩＤ、チャネル帯域幅、送信電力等）が自動的に最適化されるため、基地局設置及び運用コストの低減に繋がる。【０００４】
ＳＯＮの一例として、特許文献１では、新規に敷設する基地局のセルＩＤを周辺基地局のセルＩＤと重複しないように設定する手段が開示されている。具体的には、新規に敷設する基地局が周辺基地局とＸ２インターフェースを介して直接セルＩＤを取得する手段、周辺基地局が発する無線信号を元にセルＩＤを取得する手段、端末装置を介してセルＩＤを取得する手段、各基地局のセルＩＤを管理するネットワークノードから直接取得する手段等が示されている。これらのうち、いずれかの手段を用いて新規に敷設する基地局は、周辺基地局のセルＩＤを取得し、それらと重複しない任意のセルＩＤを自局のセルＩＤとして割り当てる。【０００５】
前出のＬＴＥの場合、セルＩＤはセルの識別番号のみならず、下り回線の参照信号（以下、「ＣＲＳ：Cell-specific Reference Signal」という）を構成する系列（以下、「ＣＲＳ系列」という）及び周波数リソース配置を決定する重要なパラメータである。ＣＲＳ系列の生成方法及びリソース配置方法の詳細は非特許文献１にて開示されるが、ここではその概要を述べる。【０００６】
まず、ＣＲＳ系列ｒｌ，ｎｓ（ｍ）は、次式（１）で表される。
【数１】
2013099247.tif 000003
【０００７】
上式（１）において、ｎｓはスロット番号を、ｌはスロット内のＯＦＤＭシンボル番号を、ｃは疑似雑音系列をそれぞれ表す。ここで、疑似雑音系列ｃは系列長３１のシフトレジスタにより定義され、変数ｎを用いた以下の式で表される。
【数２】
2013099247.tif 000004
【数３】
2013099247.tif 000005
【数４】
2013099247.tif 000006
【０００８】
ここで、Ｎｃ＝１６００である。また、式（３）で示されるシフトレジスタはＯＦＤＭシンボル毎に次式（５）で初期化される。
【数５】
2013099247.tif 000007
【０００９】
同様に、式（４）で示されるシフトレジスタはＯＦＤＭシンボル毎に次式（６）で得られる１０進数値を２進数に変換した値で初期化される。
【数６】
2013099247.tif 000008
【００１０】
ここで、ＮｃｅｌｌＩＤはセルＩＤで、０〜５０３の値を取り得る。また、ＮＣＰはＣＰ（Cyclic Prefix）長を表し、ノーマルＣＰ（normal CP）時は１が、エクステンディドＣＰ（extended CP）時は０がそれぞれ入力される。【００１１】
通信事業者の運用ポリシーにもよるが、エクステンディドＣＰは人口密度が極めて低い地域を１つの基地局で大規模にカバーする目的で適用される。そのため、エクステンディドＣＰを適用した基地局とノーマルＣＰを適用した基地局が混在して運用されることは少なく、地域毎のＣＰ長は共通のものが選択されることが多い。その場合、ＣＲＳ系列はセルＩＤによって一意に定まることになる。【００１２】
一例として、チャネル帯域幅５ＭＨｚ、ノーマルＣＰ、ｎｓ＝０、ｌ＝０（すなわち、サブフレーム先頭ＣＲＳ）の条件で、セルＩＤ＝１００のＣＲＳ系列と他のセルＩＤのＣＲＳ系列の正規化相互相関を図１に示す。このように、ＣＲＳ系列は互いに直交しておらず、おおむね０．１〜０．３程度の相互相関を有する。【００１３】
次に、ＣＲＳのリソース配置方法について説明する。図２は、ＬＴＥの送信単位である１サブフレーム、１リソースブロック内におけるＣＲＳのリソース配置の一例である。図２において、横軸は時間を表しており、横軸における１格子の幅は１ＯＦＤＭシンボルの時間長を表している。縦軸は周波数を表しており、縦軸における１格子の幅は１サブキャリアを表している。また、網掛けしたマスはＣＲＳの配置位置を示している。【００１４】
時間方向におけるＣＲＳのリソース配置は、基地局のＭＩＭＯ送信の有無、及びＣＰ長で一意に決まる。図２は、ＭＩＭＯ送信無し、ノーマルＣＰの場合の例である。この場合、ＣＲＳは第１、第５、第８、第１２ＯＦＤＭシンボルに配置される。【００１５】
周波数方向については、ＣＲＳは６サブキャリア毎に配置され、その位置はリソースインデックスｖｓｈｉｆｔと呼ばれるパラメータで決定される。つまり、リソースインデックスｖｓｈｉｆｔは、基地局が送信するＣＲＳの周波数配置を示す。ｖｓｈｉｆｔは０〜５の整数をとり、次式（７）の通りセルＩＤより求められる。
【数７】
2013099247.tif 000009
【００１６】
図２（ａ）はｖｓｈｉｆｔ＝０におけるＣＲＳの配置を示した図である。周波数方向のＣＲＳは、図２（ａ）に示すｖｓｈｉｆｔ＝０の配置を基準に、ｖｓｈｉｆｔの分だけ周波数方向に巡回シフト配置される。すなわち、図２（ｂ）はｖｓｈｉｆｔ＝２の配置を、図２（ｃ）はｖｓｈｉｆｔ＝４の配置を、それぞれ表す。
【先行技術文献】
【特許文献】
【００１７】
【特許文献１】特表２０１１−５０４３５２号公報
【非特許文献】
【００１８】
【非特許文献１】3GPP TS 36.211 V10.3.0 “3rd Generation Partnership Project; Technical Specification Group Radio Access Network; Evolved Universal Terrestrial Radio Access (E-UTRA); Physical Channels and Modulation (Release 10)”
【発明の概要】
【発明が解決しようとする課題】
【００１９】
特許文献１にて開示される技術により、周辺基地局とのセルＩＤの重複を回避することが可能となるが、隣接セル間でｖｓｈｉｆｔが同じ値をとった場合には、ＣＲＳのリソースが重複するという問題がある。【００２０】
先述の通りＣＲＳに使われている系列は直交系列ではないため、リソースが重複した場合、相互干渉が発生する。その結果、下りスループット低下及び回線品質測定精度の劣化等、多岐に渡って影響を及ぼす。【００２１】
ｖｓｈｉｆｔが重複した例を図３に示す。今、移動局（以下、「ＵＥ：User Equipment」という）は基地局（以下、「ｅＮＢ」という）＃１（セルＩＤ＝４３４とする）の圏内に存在するものとする。しかしながら、ｅＮＢ＃１及び隣接するｅＮＢ＃２（セルＩＤ＝２３０とする）のリソースインデックスｖｓｈｉｆｔ１及びｖｓｈｉｆｔ２は式（７）より次の通りとなる。
【数８】
2013099247.tif 000010
【数９】
2013099247.tif 000011
【００２２】
すなわち、ｅＮＢ＃１及びｅＮＢ＃２におけるＣＲＳのリソース配置は共に図２（ｂ）に示す配置となる。そのため、ｅＮＢ＃２のＣＲＳがｅＮＢ＃１のＣＲＳに干渉を与え、ＵＥのチャネル推定精度が下がり、結果的にＵＥにおける下りスループットが低下する。【００２３】
さらに、ｅＮＢ＃３（セルＩＤ＝７２とする。この場合、ｖｓｈｉｆｔ３＝０）が隣接した場合、ｅＮＢ＃３が送信するＣＲＳは他基地局から干渉を受けることなくＵＥに到達する。その結果、ＵＥは本来ｅＮＢ＃１の圏内にあるにもかかわらず、ｅＮＢ＃３へハンドオーバーしてしまうことも起こり得る。【００２４】
本発明の目的は、近隣基地局間でＣＲＳが互いに干渉することを回避し、下りスループット改善及びＵＥのセル誤選択を防止するサーバ装置、基地局装置及び識別番号決定方法を提供することである。
【課題を解決するための手段】
【００２５】
本発明のサーバ装置は、基地局の識別番号を管理するサーバ装置であって、新たに設けられた新規基地局に対する近隣基地局の識別番号に基づいて、前記近隣基地局が送信する参照信号の周波数配置と異なる参照信号の周波数配置を決定する決定手段と、決定された前記周波数配置に基づいて、前記新規基地局の識別番号を算出する識別番号算出手段と、算出された前記識別番号を前記新規基地局に送信する送信手段と、を具備する構成を採る。【００２６】
本発明の基地局装置は、近隣基地局から当該近隣基地局の識別番号を受信する受信手段と、前記近隣基地局の識別番号に基づいて、前記近隣基地局が送信する参照信号の周波数配置と異なる参照信号の周波数配置を決定する決定手段と、決定された前記周波数配置に基づいて、自局の識別番号を算出する識別番号算出手段と、を具備する構成を採る。【００２７】
本発明の識別番号決定方法は、基地局の識別番号を管理するサーバ装置における識別番号決定方法であって、新たに設けられた新規基地局に対する近隣基地局の識別番号に基づいて、前記近隣基地局が送信する参照信号の周波数配置と異なる参照信号の周波数配置を決定する決定工程と、決定された前記周波数配置に基づいて、前記新規基地局の識別番号を算出する識別番号算出工程と、算出された前記識別番号を前記新規基地局に送信する送信工程と、を具備するようにした。【００２８】
本発明の識別番号決定方法は、新たに設けられた新規基地局を識別する識別番号を決定する当該新規基地局における識別番号決定方法であって、近隣基地局から当該近隣基地局の識別番号を受信する受信工程と、前記近隣基地局の識別番号に基づいて、前記近隣基地局が送信する参照信号の周波数配置と異なる参照信号の周波数配置を決定する決定工程と、決定された前記周波数配置に基づいて、前記新規基地局の識別番号を算出する識別番号算出工程と、を具備するようにした。
【発明の効果】
【００２９】
本発明によれば、近隣基地局間でリソースインデックスの重複を回避することにより、近隣基地局間でＣＲＳが互いに干渉することを回避し、下りスループット改善及びＵＥのセル誤選択を防止することができる。
【図面の簡単な説明】
【００３０】
【図１】ＣＲＳ系列の正規化相互相関を示す図
【図２】ＬＴＥの送信単位におけるＣＲＳのリソース配置を示す図
【図３】ｖｓｈｉｆｔが重複した場合の説明に供する図
【図４】本発明の実施の形態１に係るネットワークシステム構成を示す図
【図５】本発明の実施の形態１に係るＯＡＭの構成を示すブロック図
【図６】本発明の実施の形態１に係るリソースインデックスリストを示す図
【図７】図５に示したＯＡＭにおける新規ｅＮＢへのセルＩＤ決定方法を示すフロー図
【図８】本発明の実施の形態２に係るネットワークシステム構成を示す図
【図９】本発明の実施の形態２に係るｅＮＢの構成を示すブロック図
【図１０】本発明の実施の形態２に係るリソースインデックスリストを示す図
【図１１】図９に示したｅＮＢにおけるセルＩＤ決定方法を示すフロー図
【図１２】下りＭＩＭＯ送信を行う場合のＣＲＳ配置を示す図
【図１３】本発明の実施の形態３に係るセルＩＤ決定方法を示すフロー図
【図１４】本発明の実施の形態３に係るリソースインデックスリストを示す図
【図１５】ｅＮＢ＃１〜３の各アンテナポートに割り当てたＣＲＳのリソース配置を示す図
【発明を実施するための形態】
【００３１】
以下、本発明の実施の形態について、図面を参照して詳細に説明する。
【００３２】
（実施の形態１）
図４は、本発明の実施の形態１に係るネットワークシステム構成を示す図である。ここでは、ＯＡＭ（Operations, Administration and Maintenance）がｅＮＢ＃１、ｅＮＢ＃２及びこれらのパラメータを管理している状態において、新たにｅＮＢ＃３が敷設されたことを示している。
【００３３】
図５は、本発明の実施の形態１に係るＯＡＭ１００の構成を示すブロック図である。図５において、位置情報受信部１０１は、新規に敷設されたｅＮＢ（以下、「新規ｅＮＢ」という）から当該新規ｅＮＢの設置位置を示す位置情報（例えば緯度・経度）を受信し、受信した位置情報を距離算出部１０３に出力する。
【００３４】
基地局情報管理部１０２は、ＯＡＭ１００配下のｅＮＢの位置情報及びセルＩＤを管理する。
【００３５】
距離算出部１０３は、基地局情報管理部１０２からＯＡＭ配下の全てのｅＮＢの位置情報及びセルＩＤを取得し、位置情報受信部１０１から新規ｅＮＢの位置情報を取得する。距離算出部１０３は、取得したこれらの情報を用いて、新規ｅＮＢと他のｅＮＢとの距離を算出する。具体的には、新規ｅＮＢの設置位置を（Ｐ１，Ｒ１）とし、測定対象のｅＮＢの設置位置を（Ｐ２，Ｒ２）（いずれも単位はラジアン）とすると、両者の距離Ｄ［ｍ］は、式（１０）により求められる。
【数１０】
2013099247.tif 000012
【数１１】
2013099247.tif 000013
【数１２】
2013099247.tif 000014
【００３６】
ここで、Ｍは子午線曲率半径、Ｎは卯酉線曲率半径をそれぞれ表す。式（１０）〜（１２）より、新規ｅＮＢと他のｅＮＢとの間の距離がそれぞれ求まる。距離算出部１０３は、算出した距離が閾値（例えば、５００［ｍ］）以下である全てのｅＮＢのセルＩＤを有効なセルＩＤとして、新規ｅＮＢとの間の距離情報と共にリソースインデックス決定部１０４に出力する。なお、閾値以下のｅＮＢがない場合には、無効値（Ｎｕｌｌ）をリソースインデックス決定部１０４に出力する。
【００３７】
リソースインデックス決定部１０４は、距離算出部１０３から有効なセルＩＤが出力された場合、まず、図６（ａ）に示すように、リソースインデックスｖｓｈｉｆｔの使用又は未使用を管理するリソースインデックスリストを初期化する。ここでは、距離の入力によりリソースインデックスｖｓｈｉｆｔの使用を示すため、リソースインデックスリストに入力されていた距離をリセット（消去）することにより、リソースインデックスを初期化する。
【００３８】
次に、リソースインデックス決定部１０４は、式（７）に基づいて、有効なセルＩＤから近隣ｅＮＢのリソースインデックスｖｓｈｉｆｔを求める。続いて、リソースインデックス決定部１０４は、リソースインデックスリストに対して、近隣ｅＮＢで使用されているリソースインデックスに対応する距離を入力し（図６（ｂ）参照）、未使用のリソースインデックスｖｓｈｉｆｔをリソースインデックス候補として抽出する。ここでは、リソースインデックススｖｓｈｉｆｔ＝０、２が他の近隣ｅＮＢでそれぞれ使用されているため、リソースインデックス候補として｛１，３，４，５｝を抽出する。
【００３９】
さらに、リソースインデックス決定部１０４は、リソースインデックス候補の中から、任意のリソースインデックスｖｓｈｉｆｔを選択し、セルＩＤ算出部１０５に出力する。ここでは、リソースインデックスｖｓｈｉｆｔ３＝４を選択したものとする。なお、周辺に多数のｅＮＢが存在し、すでにリソースインデックスｖｓｈｉｆｔが全て使用されており、図６（ｃ）に示すように、リソースインデックス候補がない場合、当該新規ｅＮＢから最も遠い位置に敷設されているｅＮＢのリソースインデックスｖｓｈｉｆｔ（つまり、リソースインデックスリストの中で、最大の距離に対応するリソースインデックス）を選択する（図６（ｃ）の例では、ｖｓｈｉｆｔ３＝１を選択する）。また、リソースインデックス決定部１０４は、距離算出部１０３からＮｕｌｌが入力された場合、任意のリソースインデックスｖｓｈｉｆｔを選択する。
【００４０】
セルＩＤ算出部１０５は、リソースインデックス決定部１０４から出力されたリソースインデックスｖｓｈｉｆｔを、以下の式（１３）に従って、任意のセルＩＤに変換し、セルＩＤ送信部１０６に出力する。ただし、リソースインデックス候補がなく、新規ｅＮＢから最も遠い位置に敷設されているｅＮＢのリソースインデックスｖｓｈｉｆｔが選択された場合、最も遠い位置に敷設されているｅＮＢのセルＩＤとは異なるセルＩＤを算出する。
【数１３】
2013099247.tif 000015
【００４１】
ここで、ＮＩＤはセルＩＤ候補数（＝５０４）、ｒａｎｄ（Ａ）は０〜Ａの任意の整数を一様分布で出力する関数とする。
【００４２】
セルＩＤ送信部１０６は、新規ｅＮＢに対して、セルＩＤ算出部１０５から出力されたセルＩＤを指示する。
【００４３】
次に、図５に示したＯＡＭ１００における新規ｅＮＢのセルＩＤ決定方法について図７を用いて説明する。ここでは、図４に示したように、ｅＮＢ＃１（セルＩＤ＝７２、設置位置（緯度、経度）＝（３５．６７８５８３度，１３９．７６５２４７度））、ｅＮＢ＃２（セルＩＤ＝２３０、設置位置＝（３５．６８０６２２度，１３９．７７０１０５度））及びこれらのパラメータを管理するＯＡＭが運用されている状態において、新たにｅＮＢ＃３（設置位置＝（３５．６８１３８２度，１３９．７６６０８４度））が敷設された場合を例に説明する。
【００４４】
図７において、ステップ（以下、「ＳＴ」と省略する）２０１では、位置情報受信部１０１が、新規に敷設されたｅＮＢ＃３から当該ｅＮＢ＃３の位置情報を受信し、ＳＴ２０２では、距離算出部１０３が、ＯＡＭ配下の全てのｅＮＢの位置情報と、新規ｅＮＢ＃３の位置情報とを用いて、式（１０）に従って、新規ｅＮＢ＃３と他のｅＮＢとの間の距離Ｄ［ｍ］を算出する。ここでは、ｅＮＢ＃１とｅＮＢ＃３との間の距離Ｄ１＝３２０［ｍ］、ｅＮＢ＃２とｅＮＢ＃３との間の距離Ｄ２＝３７４［ｍ］がそれぞれ求まったとする。同様に、距離算出部１０３は、図示しないｅＮＢ＃４、ｅＮＢ＃５、・・・についても距離を求める。
【００４５】
ＳＴ２０３では、距離算出部１０３が、算出した距離が閾値（例えば、５００［ｍ］）以下のｅＮＢの有無を判定し、閾値以下のｅＮＢがある場合にはＳＴ２０４に移行し、閾値以下のｅＮＢがない場合にはＳＴ２１０に移行する。
【００４６】
ＳＴ２０４では、リソースインデックス決定部１０４が、図６（ａ）に示すように、リソースインデックスリストを初期化し、ＳＴ２０５では、リソースインデックス決定部１０４が、式（７）に基づいて、有効なセルＩＤから近隣ｅＮＢのリソースインデックスｖｓｈｉｆｔを算出する。図４に示す例の場合、ｅＮＢ＃１のリソースインデックスｖｓｈｉｆｔ１＝０、ｅＮＢ＃２のリソースインデックスｖｓｈｉｆｔ２＝２となる。
【００４７】
ＳＴ２０６では、リソースインデックス決定部１０４が、リソースインデックスリストに対して、ＳＴ２０４で算出したリソースインデックスｖｓｈｉｆｔ、つまり、近隣ｅＮＢで使用されているリソースインデックスｖｓｈｉｆｔに対応する距離を入力し（図６（ｂ）参照）、未使用のリソースインデックスｖｓｈｉｆｔをリソースインデックス候補として抽出する。ここでは、リソースインデックスｖｓｈｉｆｔ＝０、２が他のｅＮＢでそれぞれ使用されているため、これらを除外して、リソースインデックス候補として｛１，３，４，５｝を抽出する。
【００４８】
ＳＴ２０７では、リソースインデックス決定部１０４が、リソースインデックス候補の中で未使用のｖｓｈｉｆｔがあるか否かを判定し、未使用のｖｓｈｉｆｔがある場合にはＳＴ２０８に移行し、未使用のｖｓｈｉｆｔがない場合にはＳＴ２０９に移行する。
【００４９】
ＳＴ２０８では、リソースインデックス決定部１０４が、未使用のｖｓｈｉｆｔの中から、１つのｖｓｈｉｆｔをランダムに選択する。ここでは、リソースインデックスｖｓｈｉｆｔ３＝４を選択したものとする。
【００５０】
ＳＴ２０９では、リソースインデックス決定部１０４が、新規ｅＮＢ＃３から最も遠い位置に敷設されているｅＮＢのリソースインデックスｖｓｈｉｆｔを選択する。図６（ｃ）の例では、ｖｓｈｉｆｔ３＝１が選択される。
【００５１】
ＳＴ２１０では、リソースインデックス決定部１０４が、近隣ｅＮＢのセルＩＤとして無効値（Ｎｕｌｌ）を選択し、ＳＴ２１１では、リソースインデックス決定部１０４が、任意のｖｓｈｉｆｔを選択する。
【００５２】
ＳＴ２１２では、セルＩＤ算出部１０５が、選択されたｖｓｈｉｆｔから新規ｅＮＢ＃３のセルＩＤを算出する。ここでは、式（１３）に従い、セルＩＤ＝３０４が選択されたものとする。ただし、ＳＴ２０９において、新規ｅＮＢから最も遠い位置に敷設されているｅＮＢのリソースインデックスｖｓｈｉｆｔが選択された場合、最も遠い位置に敷設されているｅＮＢのセルＩＤとは異なるセルＩＤが算出される。
【００５３】
ＳＴ２１３では、セルＩＤ送信部１０６が新規ｅＮＢ＃３にセルＩＤ＝３０４を指示する。
【００５４】
以上説明した新規ｅＮＢへのセルＩＤ決定方法により、ｅＮＢ＃１のＣＲＳは図２（ａ）に示す配置となり、ｅＮＢ＃２のＣＲＳは図２（ｂ）に示す配置となり、ｅＮＢ＃３のＣＲＳは図２（ｃ）に示す配置となる。従って、近隣ｅＮＢ間で互いのＣＲＳリソースが重複することがなくなるため、近隣ｅＮＢ間のＣＲＳが互いに干渉することを回避し、各ｅＮＢの下りスループット低下を防ぐことができる。
【００５５】
このように、実施の形態１によれば、新規ｅＮＢの位置情報を受信したＯＡＭが、新規ｅＮＢの近隣ｅＮＢで使用しているリソースインデックスｖｓｈｉｆｔ以外のリソースインデックスｖｓｈｉｆｔを選択し、選択したリソースインデックスｖｓｈｉｆｔからセルＩＤを算出して、新規ｅＮＢに割り当てる。これにより、新規ｅＮＢを含む近隣ｅＮＢ間でのリソースインデックスｖｓｈｉｆｔの重複が回避され、リソースインデックスｖｓｈｉｆｔから一義的に求まるＣＲＳリソースの重複も回避することができる。この結果、近隣ｅＮＢ間でＣＲＳが互いに干渉することを回避し、下りスループット改善及びＵＥのセル誤選択を防止することができる。
【００５６】
（実施の形態２）
実施の形態１では、新規ｅＮＢのセルＩＤをＯＡＭが決定する場合について説明したが、本発明の実施の形態２では、新規ｅＮＢのセルＩＤを新規ｅＮＢが自律的に決定する場合について説明する。
【００５７】
図８は、本発明の実施の形態２に係るネットワークシステム構成を示す図である。ここでは、ｅＮＢ＃１（セルＩＤ＝７２）とｅＮＢ＃２（セルＩＤ＝２３０）とが既存のシステムとして運用され、各ｅＮＢがＳＣＨ（Synchronization Channel）を送信しているものとする。ＳＣＨには、各ｅＮＢのセルＩＤが含まれる。この状態で新たにｅＮＢ＃３が敷設されたものとする。
【００５８】
図９は、本発明の実施の形態２に係るｅＮＢ３００の構成を示すブロック図である。図９において、ＳＣＨ受信部３０２は、ｅＮＢの運用開始時、近隣ｅＮＢが送信するＳＣＨをアンテナ３０１から受信し、受信したＳＣＨの受信レベルを測定する。受信レベルが閾値（例えば、−１１０ｄＢｍ）以上のＳＣＨについては、そのセルＩＤを解析し、受信レベルと共にセルＩＤを有効なセルＩＤとしてリソースインデックス決定部３０３に出力する。なお、閾値以上のｅＮＢがない場合には、無効値（Ｎｕｌｌ）をリソースインデックス決定部３０３に出力する。
【００５９】
リソースインデックス決定部３０３は、ＳＣＨ受信部３０２から有効なセルＩＤが出力された場合、まず、図１０（ａ）に示すように、リソースインデックスリストを初期化する。ここでは、受信レベルの入力によりリソースインデックスｖｓｈｉｆｔの使用を示すため、リソースインデックスリストに入力されていた受信レベルをリセット（消去）することにより、リソースインデックスを初期化する。
【００６０】
次に、リソースインデックス決定部３０３は、式（７）に基づいて、有効なセルＩＤから近隣ｅＮＢのリソースインデックスｖｓｈｉｆｔを求める。続いて、リソースインデックス決定部３０３は、リソースインデックスリストに対して、近隣ｅＮＢで使用されているリソースインデックスｖｓｈｉｆｔに対応する受信レベルを入力し（図１０（ｂ）参照）、未使用のリソースインデックスｖｓｈｉｆｔをリソースインデックス候補として抽出する。ここでは、リソースインデックスｖｓｈｉｆｔ＝０、２が他の近隣ｅＮＢでそれぞれ使用されているため、リソースインデックス候補として｛１，３，４，５｝を抽出する。
【００６１】
さらに、リソースインデックス決定部３０３は、リソースインデックス候補の中から、任意のリソースインデックスｖｓｈｉｆｔを選択し、セルＩＤ算出部３０４に出力する。ここでは、リソースインデックスｖｓｈｉｆｔ３＝４を選択したものとする。なお、周辺に多数のｅＮＢが存在し、すでにリソースインデックスｖｓｈｉｆｔが全て使用されており、図１０（ｃ）に示すように、リソースインデックス候補がない場合、ＳＣＨの受信レベルが最も低いｅＮＢのリソースインデックスｖｓｈｉｆｔ（つまり、リソースインデックスリストの中で、最小の受信レベルに対応するリソースインデックス）を選択する（図１０（ｃ）の例では、ｖｓｈｉｆｔ３＝３を選択する）。また、リソースインデックス決定部３０３は、ＳＣＨ受信部３０２からＮｕｌｌが入力された場合、任意のリソースインデックスｖｓｈｉｆｔを選択する。
【００６２】
セルＩＤ算出部３０４は、リソースインデックス決定部３０３から出力されたリソースインデックスｖｓｈｉｆｔを、式（１３）に従って、任意のセルＩＤに変換し、自局のセルＩＤを決定すると共に、決定したセルＩＤをＣＲＳ送信部３０５に出力する。ただし、リソースインデックス候補がなく、ＳＣＨの受信レベルが最も低いｅＮＢのリソースインデックスｖｓｈｉｆｔが選択された場合、ＳＣＨの受信レベルが最も低いｅＮＢのセルＩＤとは異なるセルＩＤを算出する。
【００６３】
ＣＲＳ送信部３０５は、セルＩＤ算出部３０４から出力されたセルＩＤからＣＲＳ系列を生成し、所定の周波数スケジューリングを行った後、サーキュレータ及びアンテナ３０１を介して下り信号として送信する。
【００６４】
次に、図９に示したｅＮＢ３００におけるセルＩＤ決定方法について図１１を用いて説明する。ここでは、ｅＮＢ＃１（セルＩＤ＝７２）とｅＮＢ＃２（セルＩＤ＝２３０）とが既存のシステムとして運用されている状態において、新たにｅＮＢ＃３が敷設されたものとする。
【００６５】
図１１において、ＳＴ４０１では、ＳＣＨ受信部３０２が、近隣ｅＮＢから送信されたＳＣＨを受信し、受信したＳＣＨの受信レベルを測定し、ＳＴ４０２では、ＳＣＨ受信部３０２が、測定した受信レベルが閾値（例えば、−１１０ｄＢｍ）以上のＳＣＨの有無を判定し、閾値以上のＳＣＨがある場合にはＳＴ４０３に移行し、閾値以上のＳＣＨがない場合にはＳＴ４０９に移行する。
【００６６】
ＳＴ４０３では、リソースインデックス決定部３０３が、図１０（ａ）に示すように、リソースインデックスリストを初期化し、ＳＴ４０４では、リソースインデックス決定部３０３が、式（７）に基づいて、有効なセルＩＤから近隣ｅＮＢのリソースインデックスｖｓｈｉｆｔを算出する。図８に示す例の場合、ｅＮＢ＃１のリソースインデックスｖｓｈｉｆｔ１＝０、ｅＮＢ＃２のリソースインデックスｖｓｈｉｆｔ２＝２となる。
【００６７】
ＳＴ４０５では、リソースインデックス決定部３０３が、リソースインデックスリストに対して、ＳＴ４０４で算出したリソースインデックスｖｓｈｉｆｔ、つまり、近隣ｅＮＢで使用されているリソースインデックスｖｓｈｉｆｔに対応する受信レベルを入力し（図１０（ｂ）参照）、未使用のリソースインデックスｖｓｈｉｆｔをリソースインデックス候補として抽出する。ここでは、リソースインデックスｖｓｈｉｆｔ＝０、２が他の近隣ｅＮＢでそれぞれ使用されているため、これらを除外して、リソースインデックス候補として｛１，３，４，５｝を抽出する。
【００６８】
ＳＴ４０６では、リソースインデックス決定部３０３が、リソースインデックス候補の中で未使用のｖｓｈｉｆｔがあるか否かを判定し、未使用のｖｓｈｉｆｔがある場合にはＳＴ４０７に移行し、未使用のｖｓｈｉｆｔがない場合にはＳＴ４０８に移行する。
【００６９】
ＳＴ４０７では、リソースインデックス決定部３０３が、未使用のｖｓｈｉｆｔの中から、１つのｖｓｈｉｆｔをランダムに選択する。ここでは、リソースインデックスｖｓｈｉｆｔ３＝４を選択したものとする。
【００７０】
ＳＴ４０８では、リソースインデックス決定部３０３が、受信レベルが最も低いＳＣＨに対応するｅＮＢのリソースインデックスを選択する。図１０（ｃ）の例では、ｖｓｈｉｆｔ３＝３を選択する。
【００７１】
ＳＴ４０９では、リソースインデックス決定部３０３が、近隣ｅＮＢのセルＩＤとして無効値（Ｎｕｌｌ）を選択し、ＳＴ４１０では、リソースインデックス決定部３０３が、任意のｖｓｈｉｆｔを選択する。
【００７２】
ＳＴ４１１では、セルＩＤ算出部３０４が、選択されたｖｓｈｉｆｔから自局のセルＩＤを算出する。ここでは、式（１３）に従い、セルＩＤ＝３０４が算出されたものとする。ただし、ＳＴ４０８において、ＳＣＨの受信レベルが最も低いｅＮＢのリソースインデックスｖｓｈｉｆｔが選択された場合、ＳＣＨの受信レベルが最も低いｅＮＢのセルＩＤとは異なるセルＩＤが算出される。
【００７３】
ＳＴ４１２では、ＣＲＳ送信部３０５が、算出されたセルＩＤに従って、ＣＲＳ系列を生成し、下り信号として送信する。
【００７４】
以上説明した新規ｅＮＢのセルＩＤ決定方法により、ｅＮＢ＃１のＣＲＳは図２（ａ）に示す配置となり、ｅＮＢ＃２のＣＲＳは図２（ｂ）に示す配置となり、ｅＮＢ＃３のＣＲＳは図２（ｃ）に示す配置となる。従って、近隣ｅＮＢ間で互いのＣＲＳリソースが重複することがなくなるため、近隣ｅＮＢ間のＣＲＳが互いに干渉することを回避し、各ｅＮＢの下りスループット低下を防ぐことができる。
【００７５】
このように、実施の形態２によれば、新規ｅＮＢが近隣ｅＮＢで使用しているリソースインデックスｖｓｈｉｆｔ以外のリソースインデックスｖｓｈｉｆｔを選択し、選択したリソースインデックスｖｓｈｉｆｔからセルＩＤを算出して、新規ｅＮＢに割り当てる。これにより、新規ｅＮＢと近隣ｅＮＢ間でリソースインデックスｖｓｈｉｆｔの重複が回避され、リソースインデックスｖｓｈｉｆｔから一義的に求まるＣＲＳリソースの重複も回避することができる。この結果、近隣ｅＮＢ間でＣＲＳが互いに干渉することを回避し、下りスループット改善及びＵＥのセル誤選択を防止することができる。
【００７６】
なお、本実施の形態では、新規ｅＮＢが近隣ｅＮＢから送信されるＳＣＨを受信してセルＩＤを取得するものとして説明したが、本発明はこれに限らず、近隣ｅＮＢのセルＩＤを新規ｅＮＢの自セル内のＵＥから報告を受けてもよい。また、Ｘ２インターフェースを用いて、近隣ｅＮＢからセルＩＤを直接取得してもよい。
【００７７】
また、本実施の形態では、設定可能なセルＩＤに制限を設けない場合について説明したが、図示せぬＯＡＭから予め設定可能なセルＩＤのリストを新規ｅＮＢが取得し、リストの中からセルＩＤを選択するようにしてもよい。
【００７８】
（実施の形態３）
一般に、ｅＮＢが下り回線でＭＩＭＯ送信をする場合、空間分離性能を高めるため、各アンテナから送信されるパイロット信号はＵＥ側において互いにフェージング相関が低く、かつ高品質で受信されることが望ましい。そのため、アンテナ毎のパイロット信号は互いに時間−周波数リソースが重複しないよう配置されることが一般的である。
【００７９】
ＬＴＥにおいて、ｅＮＢが下りＭＩＭＯ送信（空間多重数＝２、ｖｓｈｉｆｔ＝０とする）を行う場合のＣＲＳ配置を図１２に示す。図１２において、網掛けしたマスはＣＲＳの配置位置を示し、塗りつぶしたマスは無送信リソース（送信を停止するリソース）を示している。図１２（ａ）は、アンテナポート０から送信されるＣＲＳのリソース配置を、図１２（ｂ）は、アンテナポート１から送信されるＣＲＳのリソース配置をそれぞれ示している。ＬＴＥでは、送信アンテナ毎のＣＲＳは周波数分割され、さらに対となるアンテナのＣＲＳリソースを無送信とすることによって、各アンテナから送信されるＣＲＳの受信品質を確保している。
【００８０】
ただし、これは換言すると、１つのセルＩＤ（つまり、１つのｅＮＢ）で２つ分のリソースインデックスｖｓｈｉｆｔを使用することになる。図１２の場合、当該ｅＮＢのＣＲＳはｖｓｈｉｆｔ＝０に加え、ｖｓｈｉｆｔ＝３のリソースインデックスも使用している。そのため、新規にｅＮＢを敷設する場合、近隣ｅＮＢのセルＩＤのみならず、それらのＭＩＭＯ送信の有無に鑑み、セルＩＤを決定することが望ましい。
【００８１】
本発明の実施の形態３では、実施の形態１のシステム構成（図４）を前提に、ＯＡＭが新規に敷設されるｅＮＢ＃３のセルＩＤを決定する場合について説明する。また、ここでは、予め敷設されているｅＮＢ＃１及びｅＮＢ＃２は、最大空間多重数２のＭＩＭＯ送信を行っているものとする。
【００８２】
本発明の実施の形態３に係るＯＡＭの構成は、実施の形態１の図５に示した構成と同様であるので、図５を援用して説明する。
【００８３】
図１３は、本発明の実施の形態３に係るセルＩＤ決定方法を示すフロー図である。図１３において、ＳＴ５０１では、位置情報受信部１０１が、新規に敷設されたｅＮＢ＃３から当該ｅＮＢ＃３の位置情報を受信し、ＳＴ５０２では、距離算出部１０３が、基地局情報管理部１０２から取得したＯＡＭ配下の全てのｅＮＢの位置情報と、新規ｅＮＢ＃３の位置情報とを用いて、式（１０）に従って、新規に敷設されたｅＮＢ＃３と他のｅＮＢとの間の距離Ｄ［ｍ］を算出する。
【００８４】
ＳＴ５０３では、距離算出部１０３が、算出した距離が閾値（例えば、５００［ｍ］）以下のｅＮＢの有無を判定し、閾値以下のｅＮＢがある場合にはＳＴ５０４に移行し、閾値以下のｅＮＢがない場合にはＳＴ５１２に移行する。
【００８５】
ＳＴ５０４では、ｅＮＢ＃３との距離が閾値以下である全てのｅＮＢのセルＩＤ及びｅＮＢ＃３との距離情報をリソースインデックス決定部１０４に出力する。そして、基地局情報管理部１０２から取得した、ｅＮＢ＃３との距離が閾値以下である全てのｅＮＢの割り当て可能な最大空間多重数（Ｎｌａｙｅｒ）をリソースインデックス決定部１０４に出力する。また、リソースインデックス決定部１０４はリソースインデックスリストを初期化する（図１４（ａ）参照）。なお、ここでは、ｅＮＢ＃１のセルＩＤ＝７２、距離Ｄ１＝３２０及びＮｌａｙｅｒ１＝２、ｅＮＢ＃２のセルＩＤ＝２３０、距離Ｄ２＝３７４及びＮｌａｙｅｒ２＝２がリソースインデックス決定部１０４に出力される。
【００８６】
ＳＴ５０５では、リソースインデックス決定部１０４が、式（７）に基づいて、有効なセルＩＤから近隣ｅＮＢのリソースインデックスｖｓｈｉｆｔを算出する。図４に示す例の場合、ｅＮＢ＃１のリソースインデックスｖｓｈｉｆｔ１＝０、ｅＮＢ＃２のリソースインデックスｖｓｈｉｆｔ２＝２となる。
【００８７】
ＳＴ５０６では、リソースインデックス決定部１０４が、近隣ｅＮＢのＮｌａｙｅｒを確認し、Ｎｌａｙｅｒ＝１であるか否かを判定し、Ｎｌａｙｅｒ＝１である場合にはＳＴ５０７に移行し、Ｎｌａｙｅｒ＝１ではない場合にはＳＴ５０８に移行する。
【００８８】
ＳＴ５０７では、リソースインデックス決定部１０４が、リソースインデックスリストに対して、ＳＴ５０５で算出したリソースインデックスｖｓｈｉｆｔ、つまり、近隣ｅＮＢで使用されているリソースインデックスｖｓｈｉｆｔに対応する距離を入力し、これらを除外してリソースインデックス候補を抽出する。この場合（Ｎｌａｙｅｒ＝１）は、シングルアンテナでの送信が行われる。
【００８９】
ＳＴ５０８では、リソースインデックス決定部１０４が、当該ｅＮＢで使用されているリソースインデックスｖｓｈｉｆｔに加え、次式（１４）で求められるリソースインデックスｖ’ｓｈｉｆｔに対応する距離をリソースインデックスリストに入力し、これらを除外してリソースインデックス候補を抽出する。この場合（Ｎｌａｙｅｒ≠１）は、ＭＩＭＯ送信が行われる。
【数１４】
2013099247.tif 000016
【００９０】
本実施の形態では、ｅＮＢ＃１及びｅＮＢ＃２は共に最大空間多重数２のＭＩＭＯ送信を行っているため、式（１４）に従いｖ’ｓｈｉｆｔ１＝３、ｖ’ｓｈｉｆｔ２＝５が得られる。これらをリソースインデックスリストに入力した結果、図１４（ｂ）に示す通り、リソースインデックス候補として１及び４のみが残る。
【００９１】
ＳＴ５０９では、リソースインデックス決定部１０４が、リソースインデックス候補の中で未使用のｖｓｈｉｆｔがあるか否かを判定し、未使用のｖｓｈｉｆｔがある場合にはＳＴ５１０に移行し、未使用のｖｓｈｉｆｔがない場合にはＳＴ５１１に移行する。
【００９２】
ＳＴ５１０では、リソースインデックス決定部１０４が、未使用のｖｓｈｉｆｔの中から、ｖｓｈｉｆｔをランダムに選択する。ここでは、リソースインデックスｖｓｈｉｆｔ３＝１を選択したものとする。
【００９３】
ＳＴ５１１では、リソースインデックス決定部１０４が、新規ｅＮＢ＃３から最も遠い位置に敷設されているｅＮＢのリソースインデックスｖｓｈｉｆｔを選択する。図１４（ｃ）の例では、ｖｓｈｉｆｔ＝１又は４が選択される。
【００９４】
ＳＴ５１２では、リソースインデックス決定部１０４が、近隣ｅＮＢのセルＩＤとして無効値（Ｎｕｌｌ）を選択し、ＳＴ５１３では、リソースインデックス決定部１０４が、任意のｖｓｈｉｆｔを選択する。
【００９５】
ＳＴ５１４では、セルＩＤ算出部１０５が、選択されたｖｓｈｉｆｔから新規ｅＮＢ＃３のセルＩＤを算出する。ここでは、式（１３）に従い、セルＩＤ＝３７が選択されたものとする。ただし、ＳＴ５１１において、新規ｅＮＢから最も遠い位置に敷設されているｅＮＢのリソースインデックスｖｓｈｉｆｔが選択された場合、最も遠い位置に敷設されているｅＮＢのセルＩＤとは異なるセルＩＤが算出される。
【００９６】
ＳＴ５１５では、セルＩＤ送信部１０６が新規ｅＮＢ＃３にセルＩＤ＝３７を指示する。
【００９７】
以上説明したＭＩＭＯ送信を行う新規ｅＮＢへのセルＩＤ決定方法により、ｅＮＢ＃１のＣＲＳは図１５（ａ）に示す配置となり、ｅＮＢ＃２のＣＲＳは図１５（ｂ）に示す配置となり、ｅＮＢ＃３のＣＲＳは図１５（ｃ）に示す配置となる。従って、近隣ｅＮＢの各アンテナから送信される互いのＣＲＳリソースが重複することがなくなるため、ＣＲＳが互いに干渉することを回避し、各ｅＮＢの下りスループット低下を防ぐことができる。
【００９８】
このように、実施の形態３によれば、新規ｅＮＢの位置情報を受信したＯＡＭが、近隣ｅＮＢの最大空間多重数に応じたアンテナポート毎に割り当てられるリソースインデックスｖｓｈｉｆｔ及びｖ’ｓｈｉｆｔ以外のリソースインデックスｖｓｈｉｆｔを選択し、選択したリソースインデックスｖｓｈｉｆｔからセルＩＤを算出して、新規ｅＮＢに割り当てる。これにより、新規ｅＮＢを含む近隣ｅＮＢ間でリソースインデックスｖｓｈｉｆｔの重複が回避され、リソースインデックスｖｓｈｉｆｔから一義的に求まるＣＲＳリソースの重複も回避することができる。この結果、ＭＩＭＯ送信を行う近隣ｅＮＢ間においてもＣＲＳが互いに干渉することを回避し、下りスループット改善及びＵＥのセル誤選択を防止することができる。
【００９９】
なお、本実施の形態における近隣ｅＮＢの最大空間多重数を考慮したセルＩＤ決定方法は、実施の形態２に適用することも可能である。
【０１００】
２０１１年１２月２７日出願の特願２０１１−２８５６６７の日本出願に含まれる明細書、図面及び要約書の開示内容は、すべて本願に援用される。
【産業上の利用可能性】
【０１０１】
本発明に係るサーバ装置、基地局装置及び識別番号決定方法は、ＬＴＥ方式の移動通信システム等に適用できる。
【符号の説明】
【０１０２】
１０１  位置情報受信部
１０２  基地局情報管理部
１０３  距離算出部
１０４、３０３  リソースインデックス決定部
１０５、３０４  セルＩＤ算出部
１０６  セルＩＤ送信部
３０１  アンテナ
３０２  ＳＣＨ受信部
３０５  ＣＲＳ送信部
【図１】
2013099247.tif 000017
【図２】
2013099247.tif 000018
【図３】
2013099247.tif 000019
【図４】
2013099247.tif 000020
【図５】
2013099247.tif 000021
【図６】
2013099247.tif 000022
【図７】
2013099247.tif 000023
【図８】
2013099247.tif 000024
【図９】
2013099247.tif 000025
【図１０】
2013099247.tif 000026
【図１１】
2013099247.tif 000027
【図１２】
2013099247.tif 000028
【図１３】
2013099247.tif 000029
【図１４】
2013099247.tif 000030
【図１５】
2013099247.tif 000031
【国際調査報告】
2013099247.tif 000032
2013099247.tif 000033